(57)【特許請求の範囲】
【請求項１】
室内外を連通させるパイプやダクトに室内側から挿入して装着する円筒状の風洞を有し、前記風洞内にプロペラ式の羽根車が回転する送風機を設けた本体と、
前記風洞の室内側開口部の外周に連設され、半径方向に張出す平面部を有するフランジ部、および前記フランジ部の端縁に設けられ、室内側の壁面に端面が当接するように背面側へ立ち上がる立上り部を有する前面構造と、
前記前面構造を覆う着脱可能の化粧パネルと、を備え、
前記化粧パネルは、前記フランジ部及び前記立上り部を覆う内側構造と、前記内側構造の前記フランジ部を覆う部分に所定の間隔を持って対向し、格子や小孔による通風開口が設けられた外側構造とからなり、前記内側構造には前記羽根車の外径寸法より小さい内径で前記風洞の前記室内側開口部に連絡するベルマウスが着脱可能に設けられ、
前記化粧パネルは、前記通風開口の形状、色調、意匠・デザインの異なる数種が備えられ、季節などに応じて選択されたものに交換され、
前記ベルマウスは、前記羽根車の外径寸法に対する内径の小ささの度合が異なる数種が備えられ、季節などに応じて１種が選択されて交換される
ことを特徴とする換気扇。
【請求項２】
室内外を連通させるパイプやダクトに挿入して装着する円筒状の風洞を有し、前記風洞内にプロペラ式の羽根車が回転する送風機を設けた本体と、
前記風洞の室内側開口部の外周に連設され、半径方向に張出す平面部を有するフランジ部、および前記フランジ部の端縁に設けられ、室内側の壁面に端面が当接するように背面側へ立ち上がる立上り部を有する前面構造と、
前記前面構造を覆う着脱可能の化粧パネルと、を備え、
前記化粧パネルは、前記フランジ部及び前記立上り部を覆い、前記フランジ部を覆う部分に格子や小孔による通風開口が設けられ、その内側には前記羽根車の外径寸法より小さい内径で前記風洞の前記室内側開口部に連絡するベルマウスが設けられ、
前記化粧パネルは、前記通風開口の形状、色調、意匠・デザインの異なる数種が備えられ、季節などに応じて選択されたものに交換され、
前記ベルマウスは、前記羽根車の外径寸法に対する内径の小ささの度合が異なる数種が備えられ、季節などに応じて１種が選択されて交換される
ことを特徴とする換気扇。
【発明の詳細な説明】
【技術分野】
【０００１】
本発明は、室内外を連通するダクトやパイプ等に室内側から挿入して装着し、室内の空気を室外へ排気して換気を行う換気扇に関するものである。
【背景技術】
【０００２】
高気密高断熱の住宅では、換気回数が不足し、ホルモアルデヒド等の有害物質の滞りやカビやダニの発生を招くという問題がある。こうした問題に対して常時換気する換気扇が有効であり、近年、２４時間換気を実現する換気扇が開発されている。なお、この種の換気扇についての従来技術としては特許文献１−３に開示された技術がある。
【０００３】
【特許文献１】特開平８−１３６０２７号公報
【特許文献２】特開２００５−０８３５８７号公報
【特許文献３】特開２００５−２９１５７７号公報
【発明の開示】
【発明が解決しようとする課題】
【０００４】
近年、住居の高気密、高断熱が進む中、換気の必要性も高まっており、室内外を連通するダクトやパイプ等に室内側から挿入して簡単に取付けることができる換気扇が換気の用に供されることが多くなってきている。換気扇の設置の場所も浴室や洗面所、トイレ、居間といったように複数個所に及び、室内側のデザインの種類、風量スペックの違いなどにより、多種多様な換気扇が提供されている。しかしながら、一旦取付けた換気扇は、デザインや風量仕様が希望した物と違っていたような場合でも、新規に付け替えるわけにもいかず、不満を抱えたまま使用されているのが実情である。新築住宅の場合、住宅施工業者が一般的な機種を選択して取付けていることが多く、利用者にデザインや風量に関する不満を抱かせていることも多い。
また、この種の換気扇では埃の付き難い、大風量・低静圧のプロペラ式の羽根車が多いが、小風量で高静圧が得られる斜流ファンを使ったものもある。斜流ファンを使ったものは、羽根車の吸込み前面に羽根外径より小さい内径を有するベルマウスを備え、騒音の軽減や送風性能の改善が図られているが、羽根枚数が多く羽根車や本体内部に埃が付着し易い。このように、大風量の用途と、小風量・高静圧の用途では送風機の形態が異なっている。小型の軸流式の送風機は、コンデンサーラン誘導電動機と称されるモーターにより駆動され、羽根負荷が低いためモーターの同期速度付近で回転駆動されており、モーター効率の高い点で運転されている。そして、非常に低騒音で消費電力も少なく、モーター寿命も長いといった特徴をもっている。この特徴を生かして、ターボファンのようなベルマウスを設けることで、斜流ファンのような特性を有するプロペラ式の羽根車の換気扇もある。
【０００５】
本発明は、上記した多種多様な換気扇が抱える問題点を解決するためになされたものであり、その課題とするところは、室内側の意匠・デザインの種類や風量スペックの違いを、一種類の本体によって可能とした換気扇を提供することであり、本体の標準化を図り、生産性を上げることができる換気扇を得ることであり、清掃のし易い換気扇を得ることである。
【課題を解決するための手段】
【０００６】
上記課題を解決するために本発明は、室内外を連通させるパイプやダクトに室内側から挿入して装着する円筒状の風洞を有し、風洞内でプロペラ式の羽根車が回転する送風機を設けた本体に、風洞の室内側開口部の外周に連設され、平面部を有する半径方向に張出すフランジ部と、フランジ部の端縁に設けられ、室内側の壁面に端面が当接する背面側へ突出する立上り部を有する前面構造を設ける。その本体の前面構造のフランジ部及び立上り部を被覆する着脱可能の化粧パネルを設ける。この化粧パネルは、フランジ部及び立上り部を被覆する内側構造と、内側構造のフランジ部被覆部分に間隔を持って対向する外側構造を持ち、内側構造には羽根車の外径寸法より小さい内径を持ち、風洞の室内側開口部に連絡するベルマウスを備える手段を採用する。
【発明の効果】
【０００７】
本発明によれば、標準仕様の本体に意匠・デザイン、あるいは、通風特性の異なる化粧パネルを付け替えれば、異なる意匠・デザイン、送風特性の異なる換気扇が簡単に得られる。製造においては、多種類の換気扇について一種類の本体に標準化でき、生産性を上げることができる。そして、化粧パネルを外せば、本体の前面構造を呈出させることができるが、前面構造のフランジ部及び立上り部は、使用時には化粧パネルで被覆されているので、埃や汚れは殆ど付着することはなく、化粧パネルの内外を清掃すれば、外観性を容易に回復することができる。
【発明を実施するための最良の形態】
【０００８】
本発明の換気扇は、室内外を連通するパイプやダクト内に室内側から本体を挿入して装着するものである。本体は円筒状の風洞と、この風洞内でプロペラ式の羽根車が回転し室外側から室内側へ向かう換気流を形成する送風機を備えた構成である。本体の風洞の室内側開口部の外周に、平面部を有する半径方向に張出したフランジ部と、フランジ部の端縁に、室内側の壁面に端面が当接する背面側へ突出した立上り部とからなる前面構造を一体に設ける。この前面構造のフランジ部及び立上り部を被覆する着脱可能の化粧パネルを設ける。化粧パネルは、フランジ部及び立上り部を被覆する内側構造と、内側構造のフランジ部被覆部分に間隔を持って対向する外側構造を持ち、内側構造には羽根車の外径寸法より小さい内径を持ち、風洞の室内側開口部に連絡するベルマウスを備える。化粧パネルは、その外側構造の色調、意匠やデザインが違う数種類があり、いずれも本体に装着することができる。ベルマウスについても、その内径が大小異なるものがあり、いずれも化粧パネルに装着できる。
【０００９】
この換気扇は、標準仕様の本体に色調、意匠・デザイン、あるいは、通風特性の異なる化粧パネルを付け替えれば、異なる色調、意匠・デザイン、送風特性の異なる換気扇が簡単に得られる。例えば、トイレに取付けた換気扇と居間に取付けた換気扇の化粧パネルを交換すれば、それぞれ異なる色調、意匠・デザイン、送風特性の異なる換気扇となる。換気扇の製造においては、多種類の換気扇について一種類の標準仕様の本体を製造し、多種類の化粧パネルを製造すれば良く、生産性を上げることができる。そして、化粧パネルを外せば、本体の前面構造を呈出させることができるが、前面構造のフランジ部及び立上り部は、使用時には化粧パネルで被覆されているので、埃や汚れは殆ど付着することはなく、化粧パネルの内外を清掃すれば、外観性を容易に回復することができる。
【００１０】
実施の形態１．
図１は、本実施の形態の換気扇を取付け状態で示した断面図、図２は、同じく化粧パネルを外した状態の換気扇の断面図、図３は、化粧パネルを外した状態の換気扇の正面視の斜視図、図４は、化粧パネルを外した状態の換気扇の背面視の斜視図、図５は、他の形態の化粧パネルを外した状態の換気扇の背面視の斜視図、図６は、他の形態の換気扇の断面図、図７は、他の形態の化粧パネルを外した状態の換気扇の正面視の斜視図である。
【００１１】
本実施の形態の換気扇は、室内外を連通させるパイプ１やダクトに室内側から挿入して装着する換気扇に関するものである。この換気扇は、パイプ１等に挿入する円筒状の風洞２を有する樹脂製の本体フレーム３に、プロペラ式の羽根車４とモーター５よりなる送風機が組付けられた本体６と、化粧パネル７とから構成されている。本体フレーム３は、風洞２の前部の吸込口となるベルマウス形状の開口部８の口縁部に前面構造が一体に形成されている。前面構造は、半径方向に張出す略正方形（丸形でも良い）のフランジ部９と、フランジ部９の端縁に形成された、室内側の壁面に端面が当接する背面側へ突出した立上り部１０とからなる。送風機は、本体フレーム３の風洞２の室外側に設けられたモーター取付構造に取付けられている（図１，２参照）。
【００１２】
モーター取付構造は、周方向に間隔をおいて風洞２の中心線方向に沿って背後に延出する三本の脚部１１と各脚部１１端部から半径方向内側に延びる橋絡部１２によって風洞２の中心に支持されたモーターカバー１３からなる。三本の脚部１１は、いずれも風洞２の外周より内側にあり、そのうちの二本の外側に、半径方向への拡開弾力により本体６をパイプ１内やダクト内に保持するための反り付きの板バネ（図示しない）が装着されている。このモーター取付構造にモーター５がその外殻のフランジにおいて、回転軸１４がモーターカバー１３の先から風洞２の中心線上に突き出すようにネジ締めされている。そして、このモーター５の風洞２内の中心線上に延出する回転軸１４に、羽根車４が風洞２に内包される形態に装着されている。
【００１３】
化粧パネル７は、本体フレーム３の前面構造であるフランジ部９及び立上り部１０を被覆する内側構造１５と、内側構造１５のフランジ部被覆部分に、脚１６によって１０ｍｍ程度の間隔を持って対向する平板状の外側構造１７からなる。内側構造１５には羽根車４の外径寸法より小さい内径を持ち、風洞２の室内側の開口部８に連絡するベルマウス１８を備えている。内側構造１５と外側構造１７の外周部の１０ｍｍ程の間隔部分が実質的な吸込口となっている。内側構造１５と本体フレーム３の前面構造は密着し、溝１９とリブ２０の嵌合いにより気密が保持されている。化粧パネル７は、その外側構造１７の色調、意匠やデザインが違う数種類があり、いずれも本体６に装着することができる。ベルマウス１８についても、その内径が大小異なるものがあり、いずれも化粧パネル７に装着できる。ベルマウス１８は、内側構造１５に一体形成してもよく、この場合には、ベルマウス１８の内径が大小異なる種類の化粧パネル７が用意される（図５参照）。
【００１４】
この換気扇は、標準仕様の本体に色調、意匠・デザイン、あるいは、通風特性の異なる化粧パネル７を付け替えれば、異なる色調、意匠・デザイン、送風特性の異なる換気扇が簡単に得られる。例えば、トイレに取付けた換気扇と居間に取付けた換気扇の化粧パネル７を交換すれば、それぞれ異なる色調、意匠・デザイン、換気風量の異なる換気扇となる。換気扇の製造においては、多種類の換気扇について一種類の標準仕様の本体６を製造し、図２，図３，図５，図６のような多種類の化粧パネル７を製造すれば良く、生産性を上げることができる。そして、化粧パネル７を外せば、本体６の前面構造を呈出させることができるが、前面構造のフランジ部９及び立上り部１０は、使用時には化粧パネル７で被覆されているので、埃や汚れは殆ど付着することはなく、化粧パネル７を水洗いするなどして、その内外を清掃すれば、外観性を容易に回復することができる。羽根車４についても化粧パネル７を外すことで回転軸１４から外すことができ、単独に清掃することができる。
【００１５】
意匠・デザインの異なる化粧パネル７としては、本体フレーム３の前面構造のフランジ部９及び立上り部１０を被覆する構造で、フランジ部９を被覆する部分に格子等による通風構造２１を有する構造としても良い（図７参照）。そして、その内側にベルマウス１８を一体又は別体で備える。この化粧パネル７は、意匠性には前述した化粧パネル７より劣るものの室内への出っ張り寸法が小さく、前面から吸込むため送風性能も良く、サニタリー等には向いた化粧パネル７である。前述した化粧パネル７にこの化粧パネル７の特質を備えさせた化粧パネル７でも良い。即ち、外側構造１７のベルマウス１８に向き合う部分に、格子や小孔による通風構造２１を設ける。これにより、前面からも吸込むことができるため、内側構造１５と外側構造１７の間隔を小さくすることも可能で、室内への出っ張り寸法を小さくできる。こうした各種の化粧パネル７を本体６に付けることで、換気扇の意匠・デザイン、送風特性を変えることができる。ベルマウス１８が別体として備えたものでは、ベルマウス１８を外して大風量・低静圧の換気扇として機能させることもできる。
【００１６】
実施の形態２．
図８〜図１２によって示す本実施の形態は、小型のモーターを駆動モーターとした送風機を用いた換気扇に関するものである。その基本部分の構成は、実施の形態１で示したものと同じである。従って、実施の形態１と同じ部分については実施の形態１のものと同じ符号を用い、それらの説明は省略する。
【００１７】
この換気扇の送風機のモーター５は、外径寸法φ４８．５ｍｍ程度の非常に小型のものである。モーター５にモーターカバー１３が付く場合にはモーター５の、外径寸法とはモーターカバー１３の外径寸法である。羽根外径寸法はφ８５ｍｍ、モーター外殻のフランジの外径寸法はφ４７．５ｍｍである。化粧パネル７等を付けた場合の送風性能の比較を図８に示す。図において最も風量が多い■印は、化粧パネル７が無い状態であり、消費電力が２Ｗ程度の小型コンデンサーランタイプのモーター５で駆動した場合である。これよりわずかに風量の少ない＊印は、前面に格子の通風構造２１の図７に示すような化粧パネルＡを付けた状態で、化粧パネルＡが無い場合に比べ風量は３％程度低下する。さらに風量が低下した◆印は、外周部から吸込む図１に示すような化粧パネルＢを付けた状態で、風洞２にベルマウス形状が無い場合である。化粧パネルＢの大きさは、１６０ｍｍ角で内側構造１５と外側構造１７の間隔は１１ｍｍと狭い場合には、開放風量（静圧０Ｐａ時）は７７％程度の低下であるが、全閉状態の静圧は急激に低下し、３０％程度にまで低下する。
【００１８】
さらに、風量が低下している△印は、化粧パネルＡが無く、ベルマウス１８のみを付けた状態である。開放風量（静圧０Ｐａ時）は６３％程度に低下するが、全閉状態の静圧は化粧パネルＡを付けない状態と同等で、ベルマウス１８を有しない場合のように急激に低下することはなく、騒音も上昇しない。△印よりわずかに風量の少ない＋印は、化粧パネルＡにベルマウス１８を付けた状態で、風量は化粧パネルＡが無い場合に比べ３％程度低下する。最も風量が少ない○印は、化粧パネルＢにベルマウス１８を付けた状態で、ベルマウス１８の内径寸法はφ５８ｍｍである。この状態では、開放風量（静圧０Ｐａ時）は５５％程度に低下するが、全閉状態の静圧は化粧パネルＢを付けない状態と同等で、ベルマウス１８を有しない場合のように急激に低下することはなく、騒音も上昇しない。また、ベルマウス１８を付けた場合には、化粧パネルＢがない状態から、化粧パネルＢを付けても風量は１５％程度低下するが、静圧の低下はない。ベルマウス１８を有することで、化粧パネルＢを付けた場合の特性悪化は非常に軽減される。
【００１９】
図９は、羽根外径寸法φ８５ｍｍ、モーター５の外径寸法φ６０ｍｍ程度にした場合の送風性能の比較を示す。図８と比べると■印は、風量が１０％程度低下しているが、静圧は２０％程度上昇している。これは、モーター５の外径寸法が大きくなるにつれ、吹出し風は、外周方向に流れるため、周速度が高くなるためである。外周部から吸込む化粧パネルＢを付けた◆印では、開放風量は５％程度低いものの、全閉圧は高くなっている。化粧パネルの有無による特性差は、図８の場合同様、開放風量（静圧０Ｐａ時）は８０％程度の低下である。最も風量が少ない○印は、化粧パネルＢにベルマウス１８を付けた状態であり、開放風量は４０ｍ３／ｈ程度であるが、全閉圧は３１Ｐａ程度ある。これをモーター５の外径寸法φ４８．５ｍｍの場合の図８と比較すると、図８では開放風量は４１ｍ３／ｈ程度であり、わずかに多いが、全閉圧は２５Ｐａ程度あり、低い。この条件をみる限りでは、モーター５の外径寸法φ４８．５ｍｍよりφ６０ｍｍの方が良い。但し、後述するように、モーター５の外径寸法φ４８．５ｍｍをφ６０ｍｍに大きくすると、ベルマウス１８を有していない場合の送風性能は悪化する。
【００２０】
即ち、静圧があまりかからないような仕様の場合には、モーター５の外径寸法を小さくすると、開放風量は大幅に上昇する。これは、吹出し風速の動圧が影響しているためである。例えば一例として、風洞２の内径がφ９０でモーター５の外径寸法がφ４８．５ｍｍの場合、風量が７５ｍ３／ｈの場合、風路を通過する風速は４．６ｍ／ｓ、動圧は１２．６Ｐａである。一方、モーター５の外径寸法がφ６０ｍｍの場合、風量が７５ｍ３／ｈの場合、風路を通過する風速は５．９ｍ／ｓ、動圧は２０．８Ｐａである。即ち、モーター５の外径寸法がφ４８．５ｍｍからφ６０ｍｍに大きくなると、動圧は８．２Ｐａだけ高くなる。実際には、吹出し風には旋回成分があるため、この動圧差分が送風性能の差になるわけではないが、この１／２程度分くらいが送風性能の向上に寄与する。
【００２１】
モーター５の外径寸法の影響を図１０により更に詳細に説明する。図１０は、モーターパワーを一定にして、モーター５の外径寸法をφ４８．５ｍｍ、φ５６ｍｍ、φ６０ｍｍ、φ６８ｍｍと変化させた場合の化粧パネルＡ，Ｂが無い状態の送風性能を比較したものである。前述したモーター５の外径寸法をφ６０ｍｍよりさらに大きくしたφ６８ｍｍでは、送風性能は大きく低下している。風量が７５ｍ３／ｈの場合、風路を通過する風速は７．６ｍ／ｓ、動圧は３４．５Ｐａである。
【００２２】
一般に空気出力は、風量と全圧の積であり、開放時では全圧は吹出し動圧にほぼ等しくなるため、風量が７５ｍ３／ｈの場合、モーター５の外径寸法がφ６８ｍｍに対してφ４８．５ｍｍでは、３７％になる。当然のことではあるが、モーターパワーが同一であれば、モーター５の外径寸法がφ６８ｍｍの場合には風量７５ｍ３／ｈを出すことはできない。この場合、風量が６０ｍ３／ｈでは動圧は２２．１Ｐａである。風量と吹出動圧の積は１３２６となる。一方、モーター外径寸法がφ４８．５ｍｍの場合には、この積は９４５となり、１３２６より小さい値となる。このように吹出動圧を大幅に低下させることができるモーター５の外径の小口径化は非常に重要なテーマである。モーター５の外径は、φ４５．５ｍｍまで小さくしなくても良いが、φ６０ｍｍ程度に小さくするとモーターパワー、すなわち消費電力が同一で大風量化が実現できる。つまり、モーター５の外径は、風洞２の内径の６０％以下にすると大きな送風性能の向上が期待できる。
【００２３】
本実施例では、羽根車４の外径の５０〜７０％程の内径のベルマウス１８を設けたため、ベルマウス１８が無い場合より開放風量は低下するものの静圧は上昇する。即ち、軸流ファンは、大風量、低静圧であるため非常に小風量にすると静圧が低下し、例えば外風耐力が低下したり、室内の静圧変化により換気風量が変化するといった不具合が生じる。一般的に、羽根車４の外径の７０％程の内径を有するベルマウス１８を設けると、開放風量を同一にした場合、静圧は２倍以上に上昇する。さらには、通常の軸流ファンにおいては、化粧パネルＢのように開放部が前面になく外周にあり、気流に偏りがある場合では、静圧は急激に低下し騒音も上昇することになるが、この換気扇ではこうしたことはない。
【００２４】
次にベルマウス１８の大きさの影響について図１１に従って述べる。概略では、内径寸法の面積比に近似して風量が低下し、静圧は内径寸法に無関係にほぼ同等になる。図１１は化粧パネル７が無い状態で、モーター５の外径寸法はφ４８．５ｍｍの状態のものである。○印は化粧パネル７が無い状態であり、△印は角１６０ｍｍの内側構造１５と外側構造１７の間隔が１１ｍｍの化粧パネルＢを付けた状態である。ベルマウス１８の内径寸法はφ５８ｍｍである。■印は、ベルマウス１８の内径寸法を小さくしてφ５０ｍｍとした場合で、吸込面積は７４％になる。この時、風量は約７５％になり、静圧は同等となる。◆印は、さらにベルマウス１８の内径寸法を小さくしてφ４０ｍｍとした場合で、ベルマウス１８の吸込面積は４８％になる。この時、風量は約５０％になり、静圧は同等となる。このように、ベルマウス１８の内径寸法を変更することで、モーターパワーの変更なしに容易に風量を低下でき、また、モーターパワーを低下した場合には静圧は低下するが、静圧の低下のない風量調整が可能となる。但し、消費電力の削減はできていないが、もともと２Ｗ程度の非常に省電力のため問題はない。
【００２５】
ベルマウス１８を有することで、開放風量は、ベルマウス１８の内径寸法をφ４０ｍｍにした場合には開放域風量は３０％まで低下できる。このように風量は低下するものの、静圧はほとんど低下しない。化粧パネルＡの場合には、化粧パネルＡの影響は風量が３％低下する程度であるため、これと同等の特性を得ることができる。
【００２６】
化粧パネルＡにベルマウス１８を備えると、例えばその内径をφ４０ｍｍとすれば、風量は２３×０．９７＝２２ｍ３／ｈ程度の小風量の換気扇ができ、ベルマウス１８を取り外すという簡単な操作で、風量は７５×０．９７＝７３ｍ３／ｈ程度という大風量の換気扇が一台で得られる。これにより、夏季ではベルマウス１８を外して大風量で運転し、冬季ではベルマウス１８を付けて小風量で運転するようなことが利用者の要望に応じて行うことができる。
【００２７】
次に化粧パネルＢを付けた場合について図１２に従って説明する。○印は、１６０ｍｍ角の大きさの化粧パネルＢで、外側構造１７と内側構造１５の間隔１１ｍｍで、モーター５の外径寸法はφ４８．５ｍｍの場合である。△印は、ベルマウス１８の内径寸法がφ５８ｍｍの場合で、■印は、ベルマウス１８の内径寸法を小さくしてφ５０ｍｍとした場合で、ベルマウス１８の吸込面積は５８ｍｍの場合の７４パーセントになる。この時、風量は約７５％になり、静圧は同等となる。◆印は、さらにベルマウス１８の内径寸法を小さくして、φ４０ｍｍとした場合で、ベルマウス１８の吸込面積はφ５８ｍｍの場合の４８％になる。この時、風量は約５０％になり、静圧は同等となる。このように、ベルマウス１８の内径寸法を変更することで、モーターパワーの変更なしに容易に風量を低下でき、また、モーターパワーを低下した場合には静圧は低下するが、静圧の低下のない風量調整が可能となる。化粧パネルＢを付けた場合の開放域風量は、化粧パネル７無しの状態の７５ｍ３／ｈから４１ｍ３／ｈ、３１ｍ３／ｈ、２１ｍ３／ｈと低下でき、ベルマウス１８の内径寸法をφ４０ｍｍにした場合には、開放域風量は本体６だけの場合の７５ｍ３／ｈの２８％まで低下できる。このように風量を低下できるものの静圧低下はほとんどない。これに対して化粧パネルＢを付けてもベルマウス１８を有しないものでは、○印のように開放風量は多く出るものの、静圧は大幅に低下し、騒音も高くなる。
【図面の簡単な説明】
【００２８】
【図１】換気扇を取付け状態で示した断面図である。（実施の形態１）
【図２】化粧パネルを外した状態の換気扇の断面図である。（実施の形態１）
【図３】化粧パネルを外した状態の換気扇の正面視の斜視図である。（実施の形態１）
【図４】化粧パネルを外した状態の換気扇の背面視の斜視図である。（実施の形態１）
【図５】他の形態の化粧パネルを外した状態の換気扇の背面視の斜視図である。（実施の形態１）
【図６】他の形態の換気扇の断面図である。（実施の形態１）
【図７】他の形態の化粧パネルを外した状態の換気扇の正面視の斜視図である。（実施の形態１）
【図８】換気扇の送風性能を示す説明図である。（実施の形態２）
【図９】換気扇の送風性能を示す説明図である。（実施の形態２）
【図１０】換気扇の送風性能を示す説明図である。（実施の形態２）
【図１１】換気扇の送風性能を示す説明図である。（実施の形態２）
【図１２】換気扇の送風性能を示す説明図である。（実施の形態２）
【符号の説明】
【００２９】
２  風洞、  ３  本体フレーム、  ４  羽根車、  ５  モーター、  ６  本体、  ７  化粧パネル、  ９  フランジ部、  １０  立上り部、  １５  内側構造、  １７  外側構造、  １８  ベルマウス、  ２１  通風構造。
【図１】
0004691471.tif 000002
【図２】
0004691471.tif 000003
【図３】
0004691471.tif 000004
【図４】
0004691471.tif 000005
【図５】
0004691471.tif 000006
【図６】
0004691471.tif 000007
【図７】
0004691471.tif 000008
【図８】
0004691471.tif 000009
【図９】
0004691471.tif 000010
【図１０】
0004691471.tif 000011
【図１１】
0004691471.tif 000012
【図１２】
0004691471.tif 000013